(57)【要約】      （修正有）【課題】照明環境の悪い室内での長時間の麻雀等における眼の疲れを軽減し、かつ既存の麻雀台等の改造なしで使用可能であり、軽量かつ構造簡単で手軽に携帯可能であり、対面の遊技者が眩しくない麻雀等の照明器具を提供する。【解決手段】縦断面視コ字状の長形状本体ケース１と、本体ケース１の前面に取り付けられた透光性を有する保護板２と、本体ケース１と保護板２で形成される空間部に収納された発光手段と、本体ケース１または保護板２に麻雀卓板上の立牌Ｍ１〜Ｍ１３の減牌を感知する対物センサー４を備えている。【選択図】図１
0003162191.tif 000002
【実用新案登録請求の範囲】
【請求項１】
麻雀卓の四周縁上に配設された卓枠体の前面に当接して使用する携帯可能な麻雀等の照明器具であって、
硬質樹脂材からなる縦断面視コ字状の長形状本体ケースと、
当該本体ケースの前面に取り付けられた透光性を有する保護板と、
前記本体ケースと保護板で形成される空間部に収納された発光手段と、
前記本体ケースまたは保護板に麻雀卓板上の立牌の減牌を感知する対物センサーを備えてなる、
ことを特徴とする携帯可能な麻雀用照明器具。
【請求項２】
前記本体ケースの長手寸法は、少なくとも配牌後の立牌及び引き牌である１３牌〜１４牌の長さとほぼ同寸かまたは短寸としている、
ことを特徴とする請求項１に記載の携帯可能な麻雀用照明器具。
【請求項３】
前記保護板は、アクリル樹脂板、強化ガラス板または拡散板である、
ことを特徴とする請求項１〜請求項２の何れかに記載の携帯可能な麻雀用照明器具。
【請求項４】
前記発光手段は、麻雀卓板と同一平面状に並設された複数個の白色発光ダイオード、配線基板、電池及びスイッチからなる、
ことを特徴とする請求項１に記載の携帯可能な麻雀用照明器具。
【請求項５】
前記白色発光ダイオードは、対物センサーが遊技者のチー、ポンまたはカンによる立牌の減牌を感知したとき、白色発光ダイオードの両端部から順次消灯するように構成されている、
ことを特徴とする請求項１または請求項４の何れかに記載する携帯可能な麻雀用照明器具。
【考案の詳細な説明】
【技術分野】
【０００１】本考案は、携帯可能な麻雀等の照明器具に関し、より詳しくは、室内の天井照明の下で長時間に亘って行われる麻雀やカードゲーム等による眼の疲れを軽減すると共に、バッグ等に収納して手軽に携帯可能な麻雀等の照明器具に関する。
【背景技術】
【０００２】近年、老化防止の有効な手段ないし方法として、指先と頭脳を使って行う室内ゲームの囲碁、将棋とならんで、麻雀等が医療関係者等によって推奨されている。また健康志向とあいまって、都市部における高齢者の麻雀愛好家が増加し、さらに高齢者対象の麻雀教室も数多く開設されるようになってきている。【０００３】従来より、わが国において、麻雀は、室内の天井照明の下で行われている。配牌後の遊技者の手牌は、麻雀卓上に直立しているので、牌の文字、絵柄部の照明度は麻雀卓上の照明度よりやや落ちるために、ゲームが長時間に亘ると遊技者の眼の疲れは著しくなり、頭痛、肩こりの要因ともなることがある。特に高齢者にその傾向は大である。【０００４】この不具合を解消するために、本願考案者は、鋭意研究を重ね、特許文献１（第６頁、図１参照）を完成させ、特許権を取得した。特許文献１の「照明装置を備えた麻雀台」は、配列された牌群を照明することで遊技者の眼球疲労を軽減する照明装置を備えた麻雀台を提供することを目的とし、その解決手段は、麻雀卓と当該麻雀卓の四周縁上に配設された卓枠体とを有する麻雀台であって、上記卓枠体の上記麻雀卓に対向する平面に配設された保護板と、上記卓枠体の内部に格納され上記保護板を介して上記麻雀卓上に配列された牌を照明するために発光する白色発光ダイオードと、上記保護板の平面に形成され当該白色発光ダイオードの光を集光する射光面と、を少なくとも有する照明装置を具備することを特徴とするものである。
【先行技術文献】
【特許文献】
【０００５】
【特許文献１】特許第３９３００１７号
【考案の概要】
【考案が解決しようとする課題】
【０００６】しかしながら、特許文献１は、麻雀台の卓枠体内部に麻雀卓上に配列された牌を照明するために発光する白色発光ダイオードを格納するものであり、あるいは麻雀卓の内部に格納された複数の白色発光ダイオードにより麻雀卓上に配列された牌を照明するものであるから、市販製品、麻雀店、家庭、老人保養施設または麻雀教室等で使用中の麻雀台を改造することは極めて困難という問題点がある。【０００７】そこで本考案が解決しようとする第１の課題は、照明環境の悪い室内での長時間の麻雀等における眼の疲れを軽減すると共に、市販製品や既存の麻雀台を改造することなく使用可能な麻雀等の照明器具を提供することにある。第２の課題は、軽量かつ構造が簡単で手軽に携帯可能な麻雀等の照明器具の提供である。第３の課題は、対面の遊技者にできるだけ眩しさを感じさせない麻雀等の照明器具を提供することにある。
【課題を解決するための手段】
【０００８】本願考案者は、上記の従来技術が有する各種問題点に鑑み鋭意検討を重ね、課題を解決するために、当該業界では想到不可能な解決手段を完成したものである。
課題を解決するための手段は、本願、実用新案登録請求の範囲の各請求項に記載の考案であり、その具体的な解決手段は、以下の通りである。【０００９】課題を解決するための第１の考案は、請求項１に記載の考案であり、
麻雀卓の四周縁上に配設された卓枠体の前面に当接して使用する携帯可能な麻雀等の照明器具であって、硬質樹脂材からなる縦断面視コ字状の長形状本体ケースと、当該本体ケースの前面に取り付けられた透光性を有する保護板と、前記本体ケースと保護板で形成される空間部に収納された発光手段と、前記本体ケースまたは保護板に麻雀卓板上の立牌の減牌を感知する対物センサーを備えてなることを特徴としている。【００１０】課題を解決するための第２の考案は、請求項２に記載の考案であり、
前記本体ケースの長手寸法は、少なくとも配牌後の立牌及び引き牌である１３牌〜１４牌の長さとほぼ同寸かまたは短寸としていることを特徴としている。【００１１】課題を解決するための第３の考案は、請求項３に記載の考案であり、
前記保護板は、アクリル樹脂板、強化ガラス板または拡散板であることを特徴としている。【００１２】課題を解決するための第４の考案は、請求項４に記載の考案であり、
前記発光手段は、麻雀卓板と同一平面状に並設された複数個の白色発光ダイオード、配線基板、電池及びスイッチからなることを特徴としている。【００１３】課題を解決するための第５の考案は、請求項５に記載の考案であり、
前記白色発光ダイオードは、対物センサーが遊技者のチー、ポンまたはカンによる立牌の減牌を感知したとき、白色発光ダイオードの両端部から順次消灯するように構成されていることを特徴としている。
【考案の効果】
【００１４】本考案に係る、携帯可能な麻雀等の照明器具は、上記の構成になるから以下の効果を奏する。
第１の考案によれば、
「麻雀卓の四周縁上に配設された卓枠体の前面に当接して使用する携帯可能な麻雀等の照明器具であって、硬質樹脂材からなる縦断面視コ字状の長形状本体ケースと、当該本体ケースの前面に取り付けられた透光性を有する保護板と、前記本体ケースと保護板で形成される空間部に収納された発光手段と、前記本体ケースまたは保護板に麻雀卓板上の立牌の減牌を感知する対物センサーを備えてなる」という当業界においては想到不可能な特徴的な構成により、特徴的構成要件に応じた顕著な効果を奏することができた。即ち、照明環境の悪い室内での長時間の麻雀等における眼の疲れを軽減すると共に、市販製品や既存の麻雀台を改造することなく使用可能な麻雀等の照明器具の提供という第１の課題を解決することができた。【００１５】第２の考案によれば、
「前記本体ケースの長手寸法は、少なくとも配牌後の立牌及び引き牌である１３牌〜１４牌の長さとほぼ同寸かまたは短寸としている」という特徴的な構成により、
また第３の考案によれば、
「前記保護板は、アクリル樹脂板、強化ガラス板または拡散板である」という特徴的な構成により、
また第４の考案によれば、
「前記発光手段は、麻雀卓板と同一平面状に並設された複数個の白色発光ダイオード、配線基板、電池及びスイッチからなる」という特徴的な構成により、
軽量かつ構造が簡単で手軽に携帯可能な麻雀等の照明器具の提供という第２の課題を解決することができた。【００１６】第５の考案によれば、
「前記白色発光ダイオードは、対物センサーが遊技者のチー、ポンまたはカンによる立牌の減牌を感知したとき、白色発光ダイオードの両端部から順次消灯するように構成されている」という当業者が想定困難な特徴的な構成により、
対面の遊技者にできるだけ眩しさを感じさせない麻雀等の照明器具の提供という第３の課題を解決することができた。
【図面の簡単な説明】
【００１７】
【図１】は、本考案に係る、携帯可能な麻雀等の照明器具の使用状態を示す斜視図である。
【図２】は、図１における２−２線拡大断面図である。
【図３】は、本考案に係る、携帯可能な麻雀等の照明器具の使用状態を示す平面図である。
【図４】は、立牌が減牌した状態における白色発光ダイオードの照明状態の説明図である。
【図５】は、立牌をさらに減牌した状態における白色発光ダイオードの照明状態の説明図である。
【考案を実施するための形態】
【００１８】以下、本考案に係る、携帯可能な麻雀等の照明器具（以下、照明器具Ａという）の一実施形態について、図面を参照しながら説明する。図１は、照明器具Ａの使用状態を示し、当該照明器具Ａは、市販製品、麻雀店または家庭に設置されている自動麻雀卓または手動麻雀卓の四周縁上に配設された卓枠体Ｆの前面Ｆａに当接して使用するものである。照明器具Ａは、本体ケース（以下、ケース１という）、保護板２、発光手段３及び対物センサー（以下、センサー４という）から構成されている。ケース１は、硬質樹脂材例えば、ＡＢＳ樹脂またはポリカーボネート等から選択され、押出成型など公知の成型法によって製作される。図３に示すケース１の長手寸法Ｗ１は、配牌後の立牌Ｍ１〜Ｍ１３及び引き牌（不図示）である１３牌〜１４牌の長さＷ２とほぼ同寸または短寸の長形状をなしている。牌の巾寸は、麻雀卓メーカーにより僅かに差があるが、立牌Ｍ１〜Ｍ１３の平均的な長さＷ２は、約２６０ｍｍである。したがってケース１の寸法Ｗ１は、Ｗ２とほぼ同寸または短寸とすることができる。また図１、図３〜図５に示すようにケース１の両端は、平面視曲面状としている。これにより麻雀遊技者は、バッグ等に収納して携帯するのに便利であると共に、ツモ、ポン、チーまたはカン等ゲーム中の諸動作を違和感なく進行することができる。保護板２は、透光性を有するアクリル樹脂板、強化ガラス板または拡散板からなり、ケース１の前面に取り付けられている。保護板２の両端もケース１の両端形状と同様に、曲面状をなしている。
【００１９】ケース１は、図２に示すように、縦断面視コ字状をなしている。ケース１と保護板２間には空間部１ａが形成され発光手段３が収納されている。発光手段３は、麻雀卓板ＭＢと同一平面状に並設された複数個の白色発光ダイオード（以下、ライトＬ１〜Ｌ１１という）、配線基板Ｐ、電池Ｂ及びスイッチＳ（図１参照）からなっている。ライトＬ１〜Ｌ１１は、スイッチＳのＯＮまたはＯＦＦにより点灯または消灯する。ライトＬ１〜Ｌ１１の数は、図１、図３〜図５において１１個を図示しているが、この個数に限定するものではなく、立牌に対するライトＬ１〜Ｌ１１の照度、角度等によって設定されるものである。ライトＬ１、Ｌ２及びＬ１０、Ｌ１１は、両側の立牌Ｍ１、Ｍ２及びＭ１２、Ｍ１３を適切に照射するために外方に向けて所定の傾斜角度θ、θで取り付けることができる。これによりケース１の長手寸法Ｗ１を短寸としている。配線基板Ｐは、ケース１内に同一平面状に配置されているが、ケース１内壁に垂直状に配置することもできる。また電池Ｂは、一次電池または二次電池いずれでも使用可能である。スイッチＳは、遊技者の視力に適合する光量（照度）調節が可能なダイアル式が好ましい。
【００２０】センサー４は、例えば、赤外線センサーまたは超音波センサー等であり、立牌Ｍ１〜Ｍ１３の減牌を感知するためにケース１または保護板２に１〜複数取り付けられるもので、スイッチＳがＯＮまたはＯＦＦされると同時に作動または停止するようになっている。センサー４は遊技者のチー、ポンまたはカンによる立牌Ｍ１〜Ｍ１３の減牌を感知したとき、両端部のライトＬ１またはＬ１１から内側のライトＬ２またはＬ１０…と順次消灯するように公知手段によって構成されている。ライトＬ１〜Ｌ１１の数は、図１、図３〜図５において１１個を図示しているが、この個数に限定するものではなく、立牌に対するライトＬ１〜Ｌ１１の照度、角度等によって設定されるものである。
【００２１】次に、本考案に係る照明器具Ａの使用態様について、図１〜図５を参照して説明する。照明器具Ａは、遊技者の卓枠体Ｆの前面Ｆａに設置される。スイッチＳがＯＮされると、ライトＬ１〜Ｌ１１が点灯されると共に、図１の一点鎖線で示すように保護板２の両側端部に取り付けられたセンサー４、４が作動し、立牌Ｍ１〜Ｍ１３を照射する。図３は、ケース１と配牌後の立牌Ｍ１〜Ｍ１３の状態を示している。図４は、例えば遊技者がポンして、遊技者が立牌Ｍ１、Ｍ２を卓枠体Ｆの右隅に移動させたときの状態で、センサー４は立牌Ｍ１、Ｍ２がないのを感知するのでライトＬ１は消灯する。続いて遊技者がチーすると（図５、参照）、立牌Ｍ３及びＭ４は、卓枠体Ｆの右隅に移動されるので、センサー４はこれを感知し、立牌の残牌は７牌になるので、ライトＬ３〜Ｌ９は点灯されているが、両側のライトＬ１〜Ｌ２及びライトＬ１０〜Ｌ１１は、消灯された状態でゲームは続行される。これにより、対面遊技者の眩しさは軽減される。
【００２２】本考案に係る照明器具Ａに関し、主に麻雀について説明したが、麻雀以外のゲーム、例えば室内におけるポーカーやブリッジ等のカードゲーム、または野外キャンプ等に携行して夜間におけるカードゲームの他、読書等にも活用可能な汎用性のある有効な照明器具Ａである。
【符号の説明】
【００２３】Ａ            照明器具
Ｆ            卓枠体
１            ケース
１ａ          空間部
２            保護板
３            発光手段
４            センサー
Ｌ１〜Ｌ１１  ライト
Ｐ            配線基板
Ｂ            電池
Ｓ            スイッチ
Ｍ１〜Ｍ１３  立牌
Ｗ１          ケースの長さ寸法
Ｗ２          立牌の長さ寸法
【図１】
0003162191.tif 000003
【図２】
0003162191.tif 000004
【図３】
0003162191.tif 000005
【図４】
0003162191.tif 000006
【図５】
0003162191.tif 000007
【手続補正書】
【提出日】平成22年6月1日(2010.6.1)
【手続補正１】
【補正対象書類名】実用新案登録請求の範囲
【補正対象項目名】全文
【補正方法】変更
【補正の内容】
【実用新案登録請求の範囲】
【請求項１】
麻雀卓の四周縁上に配設された卓枠体の前面に当接して使用する携帯可能な麻雀等の照明器具であって、
硬質樹脂材からなる縦断面視コ字状の長形状本体ケースと、
当該本体ケースの前面に取り付けられた透光性を有する保護板と、
前記本体ケースと保護板で形成される空間部に収納された発光手段と、
前記本体ケースまたは保護板に麻雀卓板上の立牌の減牌を感知する対物センサーを備えてなる、ことを特徴とする携帯可能な麻雀用照明器具。
【請求項２】
前記本体ケースの長手寸法は、少なくとも配牌後の立牌及び引き牌である１３牌〜１４牌の長さとほぼ同寸かまたは短寸としている、
ことを特徴とする請求項１に記載の携帯可能な麻雀用照明器具。
【請求項３】
前記保護板は、アクリル樹脂板、強化ガラス板または拡散板である、
ことを特徴とする請求項１〜請求項２の何れかに記載の携帯可能な麻雀用照明器具。
【請求項４】
前記発光手段は、麻雀卓板と同一平面状に並設された複数個の白色発光ダイオード、配線基板、電池及びスイッチからなる、
ことを特徴とする請求項１に記載の携帯可能な麻雀用照明器具。
【請求項５】
前記白色発光ダイオードは、対物センサーが遊技者のチー、ポンまたはカンによる立牌の減牌を感知したとき、白色発光ダイオードの両端部から順次消灯するように構成されている、ことを特徴とする請求項４に記載する携帯可能な麻雀用照明器具。